(57)【要約】      （修正有）【課題】構造が簡単で、部品点数が少なく、安価で経済的であり、且つ、誰もが容易に取り扱え、且つ、膝関節痛に効果を発揮する膝関節痛緩和用具を提供する。【解決手段】膝関節部の折り曲げ等に支障のない適宜な柔軟性と、膝関節痛の緩和に効果を有する適度な弾性力を有し、且つ、略８の字状に折り曲げ形成し、且つ、上下中間部を係止具１１ａで固着して設けた樹脂製ロープ１１と、樹脂製ロープを膝や腰の患部に装着するための適宜な長さ寸法と幅寸法を有し、且つ、略８の字状に折り曲げ形成した樹脂製ロープの上下左右角部をそれぞれ折り曲げて固着して設けた粘着テープ３ａから成るものである。【選択図】図１
0003182978.tif 000002
【実用新案登録請求の範囲】
【請求項１】
患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略８の字形状に折り曲げ形成し、且つ、上下中間部を係止具（１１ａ）で固着して設け、且つ、上下部に滑り防止用のストッパー部材（１ｂ）（１ｂ）をそれぞれ係止して設けた樹脂製ロープ（１１）とをそれぞれ一体に形成して設け、且つ、該樹脂製ロープを膝の患部（ａ）に装着するための適宜な長さ（Ｌ）寸法と幅（Ｗ）寸法を有し、且つ、略８の字形状に折り曲げ形成した樹脂製ロープの上下左右角部をそれぞれ折り曲げて固着して設けた布製粘着テープ（３）から成り、且つ、膝関節痛緩和用具を膝の患部（ａ）に装着時は、布製粘着テープの四方角部（３ａ）（３ａ）（３ａ）（３ａ）をそれぞれ剥離し、且つ、樹脂製ロープ側を膝患部（ａ）の外側と内側両面部、或いは外側と内側のいずれか片面部に接合させて、布製粘着テープの粘着剤塗布面（３'）の全面を使用して膝の患部へ貼着し、且つ、筒状の布製保護サポータ（ＳＰ）で、用具全体を包囲して使用することを特徴とする膝関節痛緩和用具。
【請求項２】
患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略Ｓの字形状に折り曲げ形成し、且つ、上下部に滑り防止用のストッパー部材（１ｂ'）（１ｂ'）をそれぞれ係止して設けた樹脂製ロープ（１１'）とをそれぞれ一体に形成して設け、且つ、該樹脂製ロープを膝の患部（ａ）に装着するための適宜な長さ（Ｌ）寸法と幅（Ｗ）寸法を有し、且つ、略Ｓの字形状に折り曲げ形成した樹脂製ロープの上下左右角部をそれぞれ折り曲げて固着して設けた布製粘着テープ（３）から成ることを特徴とする請求項1記載の膝関節痛緩和用具。
【請求項３】
患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、弾力性を持たせるために、上下中間部をのの字形状、或いは、反のの字形状のコイル形状部（１１ａ"）を形成して設け、且つ、上下部に滑り防止用のストッパー部材（１ｂ"）（１ｂ"）をそれぞれ係止して設けた略Ｉの字形状に形成して設けた樹脂製ロープ（１１"）とをそれぞれ一体に形成して設け、且つ、該樹脂製ロープを膝の患部（ａ）に装着するための適宜な長さ（Ｌ）寸法と幅（Ｗ）寸法を有し、且つ、略Ｉの字状に折り曲げ形成した樹脂製ロープの上下部を、それぞれ平行に折り曲げて固着して設けた布製粘着テープ（３３）から成ることを特徴とする請求項1記載の膝関節痛緩和用具。
【考案の詳細な説明】
【技術分野】
【０００１】
この考案は、膝関節痛緩和用具に関するものである。
【背景技術】
【０００２】
従来、人の身体は、２００本を超える骨によって形づくられており、骨と骨との連結部分である関節、それを動かす筋肉や腱、更に運動神経や知覚神経によって、身体は自由に動くことが出来る。
【０００３】
従って、それらのどれか一つにでも支障が起こると、さまざまな痛みが生ずるものであり、その中でも「膝関節痛」と「腰痛」があげられる。
【０００４】
これらのうち、「腰痛」の痛みの原因には、筋肉由来の緊張性腰痛（筋肉を原因とした、筋肉膜性腰痛）と鈍い痛みを伴う慢性型腰痛とがある。
【０００５】
また、疾患でなく、腰部の負担にかかる動作による脊椎・腰椎・神経などの障害からくる慢性型腰痛もある。
【０００６】
そして、これらの患部には外出時に幅広のベルトを着脱自在に装着し、痛みが少しでも緩和することが行われ、そのため、種々のベルトやサポータが市販されている。
【０００７】
しかし、このようなベルトも、筒状であれば、ただ、膝関節部を圧迫するだけの構成であり、周囲の軟骨に負担がかかるものであった。例えば、特許文献１のように。
【先行技術文献】
【特許文献】
【０００８】
【特許文献１】特開２００１−１２０５８５号公報
【０００９】
しかし、前記の技術は、膝関節痛及び腰痛に対して、患部を固定又は保温するためのものであり、患部の軟骨に対しての対策がなされていなかった。
【００１０】
そこで、上記の問題を解決するための、膝関節や腰骨の負担を軽減するべく関節痛・腰痛用の緩和用ベルトが開発され、既に出願済み（実願２０１２−００３７８２）である。
【００１１】
又、その後新たに開発され、既に出願済み（実願２０１２−００４０７６）の膝関節痛・腰痛緩和用具は、前記のものに比較し、更に、構造が簡単で、部品点数が少なく安価で経済的であり、且つ、誰もが容易に取り扱え、膝関節痛・腰痛緩和に効果を発揮するものである。
【００１２】
そして、今回新たに開発された関節痛緩和専用ベルトは、先に出願した金属製の８の字形状のワイヤーロープと係止金具部を組み合わせたものを更に改善・改良したもので、材質を軽量の樹脂性でロープ部と係止部を一体に形成して設け、且つ、ロープの上下部に滑り防止用のストッパー部材を一体に形成して設けたものである。従って、今回考案されたものは、先に出願したものに比較し、軽量化とコストダウンが図れる等、極めて有益なる効果が発揮され、膝関節痛や腰痛に悩む患者にとっては有益で、且つ、使い勝手の良いものとなる。そして更に、従来の８の字形状のロープに加えて、Ｓの字形状、或いは、Ｉの字形状のものでも同様な効果を発揮する。
【考案の開示】
【考案が解決しようとする課題】
【００１３】
そこで、上記課題を解決する為に、この考案は構造が簡単で、部品点数が少なく、安価で経済的であり、且つ、誰もが容易に取り扱え、且つ、膝関節痛緩和に効果を発揮する膝関節痛緩和用具を早期に開発・提供する事にある。
【課題を解決するための手段】
【００１４】
この課題を解決するための手段として、膝の折り曲げ等に支障のない適宜な柔軟性と、膝関節痛の緩和に効果を有する適度な弾性力を有し、且つ、略８の字形状に折り曲げ形成し、且つ、上下中間部を係止具で固着して設け、且つ、上下部に滑り防止用のストッパー部材をそれぞれ係止して設けた樹脂製ロープとをそれぞれ一体に形成して設け、且つ、該樹脂製ロープを膝の患部に装着するための適宜な長さ寸法と幅寸法を有し、且つ、略８の字形状に折り曲げ形成した樹脂製ロープの上下左右角部をそれぞれ折り曲げて固着して設けた布製粘着テープから成り、且つ、膝関節痛緩和用具を膝の患部に装着時は、布製粘着テープの四方角部をそれぞれ剥離し、且つ、樹脂製ロープ側を膝患部の外側と内側両面部、或いは外側と内側のいずれか片面部に接合させて、布製粘着テープの粘着剤塗布面の全面を使用して膝の患部へ貼着し、且つ、筒状の布製保護サポータで用具全体を包囲して使用することを特徴とするものである。
【００１５】
又、膝の折り曲げ等に支障のない適宜な柔軟性と、膝関節痛の緩和に効果を有する適度な弾性力を有し、且つ、略Ｓの字形状に折り曲げ形成し、且つ、上下部に滑り防止用のストッパー部材をそれぞれ係止して設けた樹脂製ロープとをそれぞれ一体に形成して設け、且つ、該樹脂製ロープを膝の患部に装着するための適宜な長さ寸法と幅寸法を有し、且つ、略Ｓの字形状に折り曲げ形成した樹脂製ロープの上下左右角部をそれぞれ折り曲げて固着して設けた布製粘着テープから成り、且つ、膝関節痛緩和用具を膝の患部に装着時は、布製粘着テープの四方固着部をそれぞれ剥離し、且つ、樹脂製ロープ側を膝患部の外側と内側両面部、或いは外側と内側のいずれか片面部に接合させて、布製粘着テープの粘着剤塗布面の全面を使用して膝の患部へ貼着し、且つ、筒状の布製保護サポータで用具全体を包囲して使用することを特徴とするものである。
【００１６】
又、膝の折り曲げ等に支障のない適宜な柔軟性と、膝関節痛の緩和に効果を有する適度な弾性力を有し、且つ、弾力性を持たせるために、上下中間部をのの字形状、或いは、反のの字形状のコイル状部を形成して設け、且つ、上下部に滑り防止用のストッパー部材をそれぞれ係止して設けた略Ｉの字形状に形成して設けた樹脂製ロープとをそれぞれ一体に形成して設け、且つ、該樹脂製ロープを膝の患部に装着するための適宜な長さ寸法と幅寸法を有し、且つ、略Ｉの字形状に折り曲げ形成した樹脂製ロープの上下部を、それぞれ平行に折り曲げて固着して設けた布製粘着テープから成り、且つ、膝関節痛緩和用具を膝の患部に装着時は、布製粘着テープの上下左右固着部をそれぞれ剥離し、且つ、樹脂製ロープ側を膝患部の外側と内側両面部、或いは外側と内側のいずれか片面部に接合させて、布製粘着テープの粘着剤塗布面の全面を使用して膝の患部へ貼着し、且つ、筒状の布製保護サポータで用具全体を包囲して使用することを特徴とするものである。
【考案の効果】
【００１７】
この考案の効果として、膝関節側面の上・下部に布製粘着テープを使用して、弾性力を有し、略８の字形状、或いは、Ｓの字形状、或いは、Ｉの字形状にそれぞれ折り曲げ形成した樹脂製ロープを固着することで、膝関節部の折り曲げ時に掛かる負荷荷重を緩和・軽減することで、膝関節部に負担が掛からない。
【００１８】
又、膝関節部の折り曲げ方向に対して柔軟に対応可能で、且つ、上下方向の負荷荷重に対しては弾性力により、負荷を軽減可能な軽量な樹脂製ロープを使用することで、用具を装着していても煩わしさを感じない為、安心して軽快に使用出来る。更に用具の構造が簡単で部品点数が少なくコスト的にも安価で、誰でも容易に入手できる為、大衆向きである等、極めて有益なる効果を奏するものである。
【図面の簡単な説明】
【００１９】
【図１】この考案の膝関節痛緩和用具の略８の字形状の実施例を示し、（Ａ）は正面図で、（Ｂ）は右側面図である。
【図２】この考案の膝関節痛緩和用具の略８の字形状の使用例を示し、（Ａ）は正面図で、（Ｂ）は一部欠截右側面図である。
【図３】この考案の膝関節緩和用具の略Ｓの字形状の実施例を示し、（Ａ）は正面図で、（Ｂ）は右側面図である。
【図４】この考案の膝関節緩和用具の略Ｉの字形状の実施例を示し、（Ａ）は正面図で、（Ｂ）は右側面図である。
【考案を実施するための形態】
【００２０】
この考案を実施するための形態として、患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略８の字形状に折り曲げ形成し、且つ、上下中間部を係止具（１１ａ）で固着して設け、且つ、上下部に滑り防止用のストッパー部材（１ｂ）（１ｂ）をそれぞれ係止して設けた樹脂製ロープ（１１）とをそれぞれ一体に形成して設け、且つ、該樹脂製ロープを膝の患部（ａ）に装着するための適宜な長さ（Ｌ）寸法と幅（Ｗ）寸法を有し、且つ、略８の字形状に折り曲げ形成した樹脂製ロープの上下左右角部をそれぞれ折り曲げて固着して設けた布製粘着テープ（３）から成り、且つ、膝関節痛緩和用具を膝の患部（ａ）に装着時は、布製粘着テープの四方角部（３ａ）（３ａ）（３ａ）（３ａ）をそれぞれ剥離し、且つ、樹脂製ロープ側を膝患部（ａ）の外側と内側両面部、或いは外側と内側のいずれか片面部に接合させて、布製粘着テープの粘着剤塗布面（３'）の全面を使用して膝の患部へ貼着し、且つ、筒状の布製保護サポータ（ＳＰ）で用具全体を包囲して使用することを特徴とする膝関節痛緩和用具から構成される。
【００２１】
又、患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、略Ｓの字形状に折り曲げ形成し、且つ、上下部に滑り防止用のストッパー部材（１ｂ'）（１ｂ'）をそれぞれ係止して設けた樹脂製ロープ（１１'）とをそれぞれ一体に形成して設け、且つ、該樹脂製ロープを膝の患部（ａ）に装着するための適宜な長さ（Ｌ）寸法と幅（Ｗ）寸法を有し、且つ、略Ｓの字形状に折り曲げ形成した樹脂製ロープの上下左右角部をそれぞれ折り曲げて固着して設けた布製粘着テープ（３）から成り、且つ、膝関節痛緩和用具を膝の患部（ａ）に装着時は、布製粘着テープの四方固着部（３ａ）（３ａ）（３ａ）（３ａ）をそれぞれ剥離し、且つ、樹脂製ロープ側を膝患部（ａ）の外側と内側両面部、或いは外側と内側のいずれか片面部に接合させて、布製粘着テープの粘着剤塗布面（３'）の全面を使用して膝の患部へ貼着し、且つ、筒状の布製保護サポータ（ＳＰ）で用具全体を包囲して使用することを特徴とする膝関節痛緩和用具から構成される。
【００２２】
又、患部である膝関節部に装着して膝関節の負担を軽減する膝関節痛緩和用具であって、該用具は膝の折り曲げ等に支障のない適宜な柔軟性と、膝関節痛の緩和に効果を有する適度な弾性力を有し、且つ、弾力性を持たせるために、上下中間部を、のの字形状、或いは、反のの字形状のコイル形状部（１１ａ"）を形成して設け、且つ、上下部に滑り防止用のストッパー部材（１ｂ"）（１ｂ"）をそれぞれ係止して設けた略Ｉの字形状に形成して設けた樹脂製ロープ（１１"）とをそれぞれ一体に形成して設け、且つ、該樹脂製ロープを膝の患部（ａ）に装着するための適宜な長さ（Ｌ）寸法と幅（Ｗ）寸法を有し、且つ、略Ｉの字形状に折り曲げ形成した樹脂製ロープの上下部を、それぞれ平行に折り曲げて固着して設けた布製粘着テープ（３３）から成り、且つ、膝関節痛緩和用具を膝の患部（ａ）に装着時は、布製粘着テープの上下左右固着部（３３ａ'）（３３ａ'）（３３ａ'）（３３ａ'）をそれぞれ剥離し、且つ、樹脂製ロープ側を膝患部（ａ）の外側と内側両面部、或いは外側と内側のいずれか片面部に接合させて、布製粘着テープの粘着剤塗布面（３３'）の全面を使用して膝の患部へ貼着し、且つ、筒状の布製保護サポータ（ＳＰ）で用具全体を包囲して使用することを特徴とする膝関節痛緩和用具から構成される。
【実施例１】
【００２３】
そこで、この考案の一実施例を図１に基づいて詳述すると、膝関節痛緩和用具は、膝の折り曲げ等に支障のない適宜な柔軟性と、膝関節痛の緩和に効果を有する適度な弾性力を有し、且つ、略８の字形状に形成し、且つ、上下中間部を樹脂製の係止具（１１ａ）で固着し、且つ、上下部に滑り防止用のストッパー部材（１ｂ）（１ｂ）をそれぞれ係止して設けた約２ｍｍの樹脂製ロープ（１１）と、該樹脂製ロープを膝の患部（ａ）に装着するための適宜な長さ（Ｌ）寸法（約１７０ｍｍ）と幅（Ｗ）寸法（約４５ｍｍ）を有し、且つ、略８の字形状に折り曲げ形成した樹脂製ロープの上下左右角部をそれぞれ折り曲げて樹脂製ロープを固着して設けた布製粘着テープ（３）から成るものである。
【００２４】
又、前記布製粘着テープ（３）は、図１（Ａ）に示すように、長さ寸法約１８０ｍｍ×幅寸法約４８ｍｍの矩形状に形成され、且つ、粘着テープの粘着剤塗布面（３'）側中心部に樹脂製ロープを載せ、四方角部をそれぞれ折り曲げて、略８の字形状に折り曲げ形成した樹脂製ロープのＲ部に固着されている。
【００２５】
そして、例えば図２（Ａ）（Ｂ）に示すように、膝関節痛緩和用に使用する時は、予め、樹脂製ロープのＲ部に貼着した布製粘着テープの四方角部（３ａ）（３ａ）（３ａ）（３ａ）をそれぞれ剥離し、且つ、樹脂製ロープ側を膝患部（ａ）の外側と内側両面部、或いは外側と内側のいずれか片面部に直接接合させて、布製粘着テープの全面を使用して膝の患部へ貼着し、且つ、筒状の布製保護サポータ（ＳＰ）で用具全体を包囲して使用するものである。尚、前記の筒状布製保護サポータ（ＳＰ）に関しては、既製の市販品を使用する為、必ずしも使用しなくてはならないものではなく、使用状況に応じて適宜使用すれば良い。
【００２６】
又、膝関節痛緩和用に使用する樹脂製ロープの形状は、略８の字状に限定するものではなく、図３（Ａ）（Ｂ）に示すように、Ｓ字形状に形成しても良く、又、図４（Ａ）（Ｂ）に示すように、Ｉの字形状に形成しても良い。
【００２７】
又、略８の字形状の樹脂製ロープ（１１）に代わる、上記Ｓ字形状の樹脂製ロープ（１１'）の場合は、上下中間部の係止部材は必要なく、上下部に滑り防止用のストッパー部材（１ｂ'）（１ｂ'）をそれぞれ係止して設け、又、Ｉの字形状の樹脂製ロープ（１１"）の場合は、上下中心部に弾力性をもたせるための、のの字形状、或いは、反のの字形状のコイル状部（１１ａ"）と上下部に滑り防止用のストッパー部材（１ｂ"）（１ｂ"）をそれぞれ一体に形成して設けたものである。
【００２８】
そして、膝関節痛緩和用に使用する時は、図２（Ａ）（Ｂ）に示すように、予め、略８の字形状の樹脂製ロープのＲ部に貼着した粘着テープの四方角部（３ａ）（３ａ）（３ａ）（３ａ）をそれぞれ剥離し、且つ、樹脂製ロープ側を膝の患部（ａ）の側面部に直接接合させて、布製粘着テープの全面を使用して膝の患部へ貼着し、且つ、帯状の布製保護サポータ（ＳＰ）で用具全体を包囲して使用するものである。尚、前記の帯状布製保護サポータ（ＳＰ）に関しては、既製の市販品を使用する為、必ずしも使用しなくてはならないものではなく、使用状況に応じて適宜使用すれば良い。
【００２９】
そして、略Ｓ字形状、或いは、略Ｉ字形状の樹脂製ロープを使用した膝関節痛緩和用具の場合も、前記の略８の字形状の樹脂製ロープと同様に、粘着テープの四方角部をそれぞれ剥離し、且つ、樹脂製ロープ側を膝の患部（ａ）の側面部に直接接合させて、布製粘着テープの全面を使用して膝外側と内側両面部、或いは外側と内側のいずれか片面部に接合させて患部へ貼着し、且つ、帯状の布製保護サポータ（ＳＰ）で用具全体を包囲して使用するものである。
【産業上の利用可能性】
【００３０】
この考案の膝関節痛緩和用具は、構造が簡単で、部品点数が少なく、軽量で安価で経済的であり、且つ、誰もが容易に取り扱え、且つ、膝関節痛緩和に効果を発揮するため、膝関節痛緩和用具の技術を確立し、製造・販売することで、膝関節痛に悩む多くの患者に寄与する為、産業上の利用可能性を有する。
【符号の説明】
【００３１】
３  布製粘着テープ
３'  粘着剤塗布面
３ａ  布製粘着テープの四方角部
１１  樹脂製ロープ（略８の字形状）
１１'  樹脂製ロープ（略Ｓの字形状）
１１"  樹脂製ロープ（略Ｉの字形状）
１１ａ  係止具
１１ａ"  コイル形状部
１１ｂ  ストッパー部材（略８の字形状）
１１ｂ'  ストッパー部材（略Ｓの字形状）
１１ｂ"  ストッパー部材（略Ｉの字形状）
３３  布製粘着テープ
３３'  粘着剤塗布面
３３ａ'  上下左右固着部
ａ  膝の患部
Ｌ  粘着テープの長さ寸法
Ｗ  粘着テープの幅寸法
ＳＰ  筒状布製保護サポータ
【図１】
0003182978.tif 000003
【図２】
0003182978.tif 000004
【図３】
0003182978.tif 000005
【図４】
0003182978.tif 000006